(57)【要約】【課題】省資源化機能を用いた印刷に不向きな印刷データを扱うユーザに煩わしさを感じさせることなく、ユーザに対して省資源化を促すことができる印刷システムを提供する。【解決手段】ディスプレイ２２は、複数のエコモードが選択可能に表示されるエコモード推奨画面４０を表示可能である。記憶部２１２は、エコモード印刷に不向きな印刷データの特徴を記憶する。判定部２１４は、印刷データがエコモード印刷に向いているか否かを判定する。制御部２１１は、印刷データがエコモード印刷に向いていると判定部２１４によって判定された場合にはディスプレイ２２にエコモード推奨画面４０を表示し、その後印刷指示がされた場合に印刷を開始する一方で、印刷データがエコモード印刷に不向きであると判定部２１４によって判定された場合にはディスプレイ２２にエコモード推奨画面４０を表示しないで印刷を開始する。【選択図】図１
2011048436.tif 000002
【特許請求の範囲】
【請求項１】
印刷用紙、印刷用トナーおよびインクを示す印刷用媒体のうち少なくともいずれか一つの使用量を削減して印刷する複数のエコモードを備える印刷システムであって、
前記複数のエコモードが選択可能に表示されるエコモード推奨画面を表示可能な表示部と、
エコモード印刷に不向きな印刷データの特徴を記憶する記憶部と、
前記記憶部の記憶内容に基づいて印刷データが前記エコモード印刷に向いているか否かを判定する判定部と、
前記判定部の判定結果に基づいて前記印刷システムを制御する制御部と、
を備え、
前記制御部は、印刷データが前記エコモード印刷に向いていると前記判定部によって判定された場合には前記表示部に前記エコモード推奨画面を表示し、その後ユーザによって印刷指示がされた場合に印刷を開始する一方で、印刷データが前記エコモード印刷に不向きであると前記判定部によって判定された場合には前記表示部に前記エコモード推奨画面を表示しないで印刷を開始する印刷システム。
【請求項２】
前記表示部は、前記エコモード推奨画面において、次回以降の印刷時に前記エコモード推奨画面を表示させないためのチェック欄を表示し、
前記制御部は、前記チェック欄がチェックされた状態でユーザによって印刷指示がされた場合には、その印刷データの特徴を前記エコモード印刷に不向きな印刷データとして前記記憶部に記憶させる請求項１に記載の印刷システム。
【請求項３】
前記制御部は、印刷データが前記エコモード印刷に不向きであると前記判定部によって判定された場合には、前記表示部に前記エコモード推奨画面を表示しないことに代えて、前記表示部に前記エコモード推奨画面を表示するか否かを選択可能な確認画面を表示する請求項１または２に記載の印刷システム。
【請求項４】
前記表示部は、前記確認画面において、次回以降の印刷時に前記確認画面を表示させないためのチェック欄を表示し、
前記制御部は、前記チェック欄がチェックされた状態でユーザによって印刷指示がされた場合には、その印刷データの特徴とともに、前記特徴を有する印刷データに対して、次回以降の印刷時に前記確認画面を表示させない設定がなされたことを前記記憶部に記憶させ、次回以降の印刷時にユーザによって印刷指示がされた場合に、その印刷データが前記確認画面を表示させない印刷データであると前記判定部によって判定された場合には、前記表示部に前記確認画面を表示しない請求項３に記載の印刷システム。
【請求項５】
印刷実行時における前記印刷用媒体の使用量の削減率を示すエコ貢献度をユーザ別に管理する管理部を備え、
前記管理部は、前記エコモード印刷に向いていると前記判定部によって判定された印刷データが印刷される際にはその印刷データにおける前記印刷用媒体の使用量の削減率をエコ貢献度の集計に加味する一方で、前記エコモード印刷に不向きであると前記判定部によって判定された印刷データが印刷される際にはその印刷データにおける前記印刷用媒体の使用量の削減率をエコ貢献度の集計に加味しない請求項１〜４のいずれか１項に記載の印刷システム。
【請求項６】
複数のプリンタ、複数の情報処理装置およびサーバを備え、
前記複数の情報処理装置は、それぞれ前記表示部を有し、
前記サーバは、前記記憶部、前記判定部および前記制御部を有し、
前記制御部は、ユーザが印刷指示をした場合に、その印刷データが前記エコモード印刷に向いていると前記判定部によって判定された場合には、ユーザによって印刷指示がされた情報処理装置における前記表示部に前記エコモード推奨画面を表示し、
前記複数のプリンタ、前記複数の情報処理装置および前記サーバは、ネットワーク上に接続される請求項１〜５のいずれか１項に記載の印刷システム。
【発明の詳細な説明】
【技術分野】
【０００１】
本発明は、画像形成装置による印刷処理を制御するための印刷システムに関する。
【背景技術】
【０００２】
プリンタ、複写機、ファクシミリ装置等の画像形成装置を使用して印刷を行なう場合、画像形成装置に接続される情報処理装置において画像を形成するための印刷データを作成し、印刷命令を発行して画像形成装置に送信すると、情報処理装置内にインストールされたプリンタドライバにより起動される画面上でユーザにより指示された用紙の種類や印刷モード等の設定に従って、画像形成装置において印刷が行なわれるようになっている。
【０００３】
近年、地球環境保護の観点から、画像形成装置を使用して印刷を行なう場合においても印刷用紙、印刷用トナーおよびインクを示す印刷用媒体について省資源化の要請が高まっている。画像形成装置が有する機能の中には、用紙の両面に画像を印刷する両面印刷機能や１枚の用紙に複数の画像を縮小して印刷する集約印刷機能のように、用紙の使用枚数の削減によって省資源化を促進できるものがある。また、カラー印刷機能を備えた画像形成装置では、重要度の低いカラー画像を白黒画像として印刷することで、カラーインクやカラートナー等の着色材料の消費量の削減によって省資源化を図ることができる。
【０００４】
一方、最近のオフィスでは、ネットワーク上に接続された不特定多数のユーザがネットワーク上に接続された画像形成装置を使用するようになっており、これらの画像形成装置は特定の管理者によって管理されている。しかし、管理者がユーザごとに使用状況を確認し、管理者の思惑に沿った省資源化を促すことは困難である。
【０００５】
そこで、画像形成装置側に予め設定された画像形成条件と、情報処理装置から送信された画像形成条件とが異なる場合、画像形成装置が２つの画像形成条件を比較して、一致していない条件に対応するメッセージを情報処理装置に送信することにより、画像形成装置において推奨された画像形成条件をユーザに自動的に知らせ、管理者の思惑に沿った省資源化を促すことが可能な装置が開示されている（例えば、特許文献１参照。）。
【先行技術文献】
【特許文献】
【０００６】
【特許文献１】特開２００５−２１７８７８号公報
【発明の概要】
【発明が解決しようとする課題】
【０００７】
特許文献１では、省資源化機能を用いた印刷に不向きな印刷データを扱うユーザに対して、印刷を指示するたびに推奨条件が報知されることにより、煩わしい思いをさせる問題があった。
【０００８】
そこで本発明の目的は、上記課題に鑑み、省資源化機能を用いた印刷に不向きな印刷データを扱うユーザに煩わしさを感じさせることなく、ユーザに対して省資源化を促すことができる印刷システムを提供することにある。
【課題を解決するための手段】
【０００９】
本発明の印刷システムは、印刷用紙、印刷用トナーおよびインクを示す印刷用媒体のうち少なくともいずれか一つの使用量を削減して印刷する複数のエコモードを備える。エコモードとは、例えばＮ−ｕｐ印刷（Ｎは、２以上の整数）や両面印刷などの用紙削減印刷モード、カラー印刷を白黒印刷にするなどの着色材料削減印刷モードのことである。Ｎ−ｕｐ印刷とは、用紙の片面においてＮページ分のデータを印刷することである。
【００１０】
また、本発明の印刷システムは、表示部、記憶部、判定部および制御部を備える。表示部は、複数のエコモードが選択可能に表示されるエコモード推奨画面を表示可能である。記憶部は、エコモード印刷に不向きな印刷データの特徴を記憶する。判定部は、記憶部の記憶内容に基づいて印刷データがエコモード印刷に向いているか否かを判定する。制御部は、判定部の判定結果に基づいて印刷システムを制御する。また、制御部は、印刷データが前記エコモード印刷に向いていると前記判定部によって判定された場合には前記表示部に前記エコモード推奨画面を表示し、その後ユーザによって印刷指示がされた場合に印刷を開始する一方で、印刷データが前記エコモード印刷に不向きであると前記判定部によって判定された場合には前記表示部に前記エコモード推奨画面を表示しないで印刷を開始する。
【００１１】
この構成では、全ての印刷データに対してエコモード推奨画面を表示させてユーザに省資源化を促すのではなく、エコモード印刷に向いている印刷データに対してのみエコモード推奨画面を表示させる。したがって、省資源化機能を用いた印刷に不向きな印刷データを扱うユーザに煩わしさを感じさせることなく、ユーザに対して省資源化を促すことができる。
【発明の効果】
【００１２】
本発明における印刷システムは、省資源化機能を用いた印刷に不向きな印刷データを扱うユーザに煩わしさを感じさせることなく、ユーザに対して省資源化を促すことができる。
【図面の簡単な説明】
【００１３】
【図１】本発明の第１実施形態に係る印刷システムの構成を示す図である。
【図２】本発明の第１実施形態に係る印刷システムのプリンタドライバによって表示される印刷処理ウィンドウの一例を示す図である。
【図３】本発明の第１実施形態に係る印刷システムのプリンタドライバによって表示される主設定ウィンドウの一例を示す図である。
【図４】本発明の第１実施形態に係る印刷システムにおける印刷データの印刷処理の制御を示すフローチャートである。
【図５】本発明の第１実施形態に係る印刷システムにおける印刷データの印刷処理の制御を示すフローチャートである。
【図６】本発明の第１実施形態に係る印刷システムの表示部に表示されるエコモード推奨画面を示す図である。
【図７】本発明の第１実施形態に係る印刷システムの表示部に表示されるエコ表示設定画面を示す図である。
【図８】本発明の第１実施形態に係る印刷システムの表示部に表示されるキーワード登録画面を示す図である。
【図９】本発明の第２実施形態に係る印刷システムにおける印刷データの印刷処理の制御を示すフローチャートである。
【図１０】本発明の第２実施形態に係る印刷システムの表示部に表示されるエコモード推奨画面を示す図である。
【図１１】本発明の第３実施形態に係る印刷システムにおける印刷データの印刷処理の制御を示すフローチャートである。
【図１２】本発明の第３実施形態に係る印刷システムの表示部に表示される確認画面を示す図である。
【図１３】本発明の第４実施形態に係る印刷システムにおける印刷データの印刷処理の制御を示すフローチャートである。
【図１４】本発明の第４実施形態に係る印刷システムの表示部に表示される確認画面を示す図である。
【図１５】本発明の第５実施形態に係る印刷システムにおける印刷データの印刷処理の制御を示すフローチャートである。
【図１６】本発明の第１実施形態〜第５実施形態に係る印刷システムの構成の一例を示す図である。
【発明を実施するための形態】
【００１４】
以下、本発明の実施形態に係る印刷システムを、図面を参照しつつ詳細に説明する。
【００１５】
図１に示すように、第１実施形態に係る印刷システム１００は、プリンタ１０および情報処理装置２０を接続して構成されている。
【００１６】
プリンタ１０は、給紙部１１および画像形成部１２を備えている。プリンタ１０は、普通紙や印画紙等の用紙を給紙部１１から画像形成部１２に搬送し、画像形成部１２で印刷用データに基づく印刷処理を行い、用紙上にカラー画像または白黒画像を形成する。プリンタ１０は、一例として電子写真方式の印刷処理を行う複合機である。また、プリンタ１０は、印刷用紙、印刷用トナーおよびインクを示す印刷用媒体のうち少なくともいずれか一つの使用量を削減して印刷する複数のエコモードを備える。エコモードとは、例えばＮ−ｕｐ印刷（Ｎは、２以上の整数）や白黒印刷をする印刷モードのことである。Ｎ−ｕｐ印刷とは、用紙の片面においてＮページ分のデータを印刷することである。プリンタ１０が実行する印刷処理は、電子写真方式、インクジェット方式または他の方式であるかを問わず、複数の方式を選択できるものであってもよい。
【００１７】
情報処理装置２０は、例えばパーソナルコンピュータであり、本体２１、ディスプレイ２２、キーボード２３およびマウス２４を備えている。ディスプレイ２２は、本発明の表示部に相当する。本体２１は、制御部２１１、記憶部２１２、プログラム記憶部２１３、判定部２１４および管理部２１５を備えている。
【００１８】
制御部２１１には、ディスプレイ２２、キーボード２３およびマウス２４が接続されており、ネットワークを介してまたは直接にプリンタ１０が接続されている。
【００１９】
記憶部２１２は、エコモード印刷に不向きな印刷データの特徴を記憶する。エコモード印刷に不向きな印刷データの特徴とは、図７に示すように例えばウォーターマークやスタンプのことを示す。ウォーターマークやスタンプが付与された印刷データは、公の文書である場合が多いため、エコモード印刷には不向きであると考えられる。
【００２０】
判定部２１４は、印刷データに対して印刷指示をした際に、その印刷データがエコモード印刷に向いているか否かを判定する。判定部２１４は、例えば記憶部２１２に記憶された特定のキーワードが印刷データ中に存在するか否かを検索することでその印刷データがエコモード印刷に向いているか否かを判定する。
【００２１】
管理部２１５は、印刷実行時における印刷用媒体の使用量の削減率を示すエコ貢献度をユーザ別に管理する。管理部２１５は、印刷データに対して印刷指示がされた際に、その印刷データがエコモード印刷で印刷されるのであればそのユーザのエコ貢献度を上昇させ、通常印刷（１−ｕｐ片面カラー印刷）で印刷されるのであればそのユーザの貢献度を減少させる。
【００２２】
プログラム記憶部２１３には、オペレーティングシステムとともに、データ作成用のアプリケーションプログラム２１３Ａ、印刷処理時にプリンタ１０の動作を制御するためのプリンタドライバ２１３Ｂ、および印刷制御プログラム２１３Ｃがインストールされている。
【００２３】
制御部２１１は、プログラム記憶部２１３に格納されているプログラムに従って動作する。制御部２１１は、プログラム記憶部２１３内のデータ作成用のアプリケーションプログラム２１３Ａの起動中に、キーボード２３およびマウス２４の操作データに基づいて文書データを含む画像データを作成する。作成された画像データは、表示データに変換されてディスプレイ２２に表示されるとともに、記憶部２１２に保存される。
【００２４】
制御部２１１は、プログラム記憶部２１３に格納されているプリンタドライバ２１３Ｂの起動中に、キーボード２３およびマウス２４の操作データに基づいて記憶部２１２内の画像データから印刷用データを作成する。作成された印刷用データは、図示しないインタフェースを介してプリンタ１０に出力される。
【００２５】
アプリケーションプログラム２１３Ａの起動中に、ユーザがキーボード２３またはマウス２４の操作によって印刷処理を要求すると、プリンタドライバ２１３Ｂが起動し、一例として図２に示す印刷処理ウィンドウ３１がディスプレイ２２に表示される。
【００２６】
図２に示すように、印刷処理ウィンドウ３１内には、プリンタ設定領域３１１、印刷範囲領域３１２、印刷部数領域３１３、拡大／縮小領域３１４等とともに、印刷開始ボタン３１５が配置されている。また、後に説明するエコ表示設定画面８０に遷移するためのエコ表示設定ボタン３１７が設けられている。
【００２７】
印刷範囲領域３１２は、アプリケーションプログラムで作成した画像データにおける印刷処理すべき範囲の指定を受け付ける。
【００２８】
印刷部数領域３１３は、印刷範囲領域３１２で設定された印刷範囲の画像データを印刷すべき部数の設定を受け付ける。
【００２９】
拡大／縮小領域３１４は、用紙上に形成すべき画像の倍率の決定に必要な情報である１枚当たりのページ数および用紙サイズについて、設定された内容または算出結果を表示する。
【００３０】
プリンタ設定領域３１１は、印刷処理に使用するプリンタ１０の名称を表示するとともに、情報処理装置２０の使用可能なプリンタが複数存在する場合に印刷処理に使用するプリンタの変更操作を受け付ける。プリンタ設定領域３１１には、設定内容を確認するためのプロパティボタン３１６が配置されている。ユーザがマウス２４を介してプロパティボタン３１６を操作すると、一例として図３に示す主設定ウィンドウ３２がディスプレイ２２に表示される。
【００３１】
図３に示すように、主設定ウィンドウ３２は、複数のタブ３２１Ａ〜３２１Ｇを備え、各タブ内で、プリンタ１０が実行可能な機能のそれぞれについて、使用の有無や設定内容を表示するとともに、設定内容の変更操作を受け付ける。例えば、メインタブ３２１Ａ内には、領域３２２〜３２７が設けられており、領域３２２〜３２７のそれぞれで印刷部数、両面印刷、集約印刷、仕上げ処理、印刷方向、白黒印刷の各機能の設定内容の変更操作を受け付ける。
【００３２】
主設定ウィンドウ３２内には、確定ボタン３２８および解除ボタン３２９が配置されている。確定ボタン３２８は、変更した設定内容の確定操作を受け付ける。解除ボタン３２９は、変更した設定内容の解除操作を受け付ける。確定ボタン３２８および解除ボタン３２９は、設定内容の確認および変更を完了した際に操作される設定完了ボタンである。
【００３３】
図４は、本発明の第１実施形態に係る印刷システムにおける印刷データの印刷処理の制御を示すフローチャートである。
【００３４】
制御部２１１は、印刷指示がされるまで待機する（Ｓ１０のＮ）。制御部２１１は、印刷指示がされたと判断すると（Ｓ１０のＹ）、判定部２１４に印刷指示がされた印刷データがエコモード印刷に向いているか否かを判定させる（Ｓ２０）。
【００３５】
図５に、Ｓ２０の定義済み処理の内容を示す。また、図５では、図７に示すエコ表示設定画面８０のウォーターマークの項目に基づいたフローを一例として示す。
【００３６】
制御部２１１は、その印刷データにウォーターマークが付与されているか否かを判断する（Ｓ２１）。制御部２１１は、その印刷データにウォーターマークが付与されていると判断すると（Ｓ２１のＹ）、記憶部２１２にＡ＝１と記憶させる（Ｓ２２）。また、制御部２１１は、その印刷データにウォーターマークが付与されていないと判断すると（Ｓ２１のＮ）、記憶部２１２にＡ＝０と記憶させる（Ｓ２３）。
【００３７】
次に、制御部２１１は、エコ表示設定画面８０の「ウォーターマークがあったらエコ推奨画面を表示しない」の項目にチェックがあるか否かを判断する（Ｓ２４）。制御部２１１は、当該チェックがあると判断すると（Ｓ２４のＹ）、記憶部２１２にＢ＝１と記憶させる（Ｓ２５）。また、制御部２１１は、当該チェックがないと判断すると（Ｓ２４のＮ）、記憶部２１２にＢ＝０と記憶させる（Ｓ２６）。
【００３８】
次に、制御部２１１は、その印刷データがエコモード印刷に向いているか否かを判定部２１４に判定させる（Ｓ２７〜Ｓ２９）。すなわち、判定部２１４は、記憶部２１２にＡ＝１およびＢ＝１が記憶されているか否かを判断する（Ｓ２７）。判定部２１４は、記憶部２１２にＡ＝１およびＢ＝１が記憶されていると判断すると（Ｓ２７のＹ）、その印刷データがエコモード印刷に不向きであると判定する（Ｓ２８）。また、判定部２１４は、記憶部２１２にＡ＝１およびＢ＝１が記憶されていないと判断すると（Ｓ２７のＮ）、その印刷データがエコモード印刷に向いていると判定する（Ｓ２９）。
【００３９】
以上のＳ２０における定義済み処理の内容は、エコ表示設定画面８０のウォーターマークの項目に基づいたフローを一例として記載しているが、ウォーターマークの項目に限られるものではない。エコ表示設定画面８０の他の項目についてもＳ２１〜Ｓ２９と同様のフローで処理可能である。また、Ｓ２０における定義済み処理の内容は、後述するＳ１１０、Ｓ２１０、Ｓ３１０およびＳ５１０における定義済み処理の内容と同様である。
【００４０】
制御部２１１は、Ｓ２０においてその印刷データがエコモード印刷に不向きであると判定部２１４が判定したと判断すると（Ｓ３０のＮ）、エコモード推奨画面４０を表示させることなく、Ｓ６０の処理に移行する。また、制御部２１１は、Ｓ２０においてその印刷データがエコモード印刷に向いていると判定部２１４が判定したと判断すると（Ｓ３０のＹ）、ディスプレイ２２に図６に示すようなエコモード推奨画面４０を表示させる（Ｓ４０）。Ｓ３０における判断は、後述するようにエコ表示設定画面８０の複数の判定基準に基づく。
【００４１】
エコモード推奨画面４０は、ユーザに省資源化を促すために表示される画面である。エコモード推奨画面４０には、印刷枚数削減の項目やカラートナー削減の項目が表示されており、ユーザはこれらの項目を選択することで省資源化に貢献することができる。また、エコモード推奨画面４０には、管理部２１５で管理されているエコ貢献度についてのデータも表示されている。エコ貢献度についてのデータは、ユーザが省資源化に対する意識を強く持つきっかけとなる。
【００４２】
制御部２１１は、Ｓ４０の後、ユーザによって印刷指示がされるまで待機する（Ｓ５０のＮ）。制御部２１１は、印刷指示がされたと判断すると（Ｓ５０のＹ）、印刷データの印刷を開始させる（Ｓ６０）。ここで、エコモード推奨画面４０の表示中に印刷の設定条件が変更されていない場合には当初の設定条件で印刷が行われる一方で、エコモード推奨画面４０の表示中に印刷の設定条件が変更されている場合には変更後の設定条件で印刷が行われる。その後、制御部２１１は、印刷データの印刷が終了するまで待機する（Ｓ７０のＮ）。制御部２１１は、印刷データの印刷が終了したと判断すると（Ｓ７０のＹ）、本実施形態の制御を終了する。
【００４３】
本実施形態では、印刷指示がされた印刷データに対してエコモード印刷に向いているか否かを判定したうえでエコモード推奨画面４０を表示するか否かを判断するため、省資源化機能を用いた印刷に不向きな印刷データを扱うユーザに煩わしさを感じさせることなく、ユーザに対して省資源化を促すことができる。
【００４４】
図７では、判定部２１４が、印刷データがエコモード印刷に向いているか否かを判定するための判定基準を設定する画面を示す。エコ表示設定画面８０には、複数の判定基準が記載されており、これらの判定基準のチェック欄をチェックすることで、そのチェックした判定基準について印刷データの判定に利用する。これらの判定基準は、印刷データの特徴を示すものである。エコ表示設定画面８０は、印刷処理ウィンドウ３１のエコ表示設定ボタン３１７を選択することにより表示される。
【００４５】
「ウォーターマークがあったらエコモード推奨画面を表示しない」および「スタンプがあったらエコ推奨画面を表示しない」について説明する。ウォーターマークとは、アプリケーションで作成した直後の印刷データにはない印刷文字等であってプリンタドライバ上でその印刷データに追加を行なう印刷文字等である。具体的には、マル秘、コピー厳禁、極秘、重要、回覧、至急などの文字や会社ロゴなどを表すものが該当する。このようなウォーターマークやスタンプが付与される印刷データは、ユーザが個人用に印刷するものというよりは公のものである場合が多く、そのような印刷データにはエコモード印刷が不向きである場合がほとんどである。したがって、これらの判定基準のチェック欄をチェックすることで、ウォーターマークやスタンプが付与される印刷データの印刷時にエコモード推奨画面４０が表示されてしまうという煩わしさを、ユーザに与えずに済む。
【００４６】
「登録キーワードがあったらエコモード推奨画面を表示しない」について説明する。登録キーワードは、図８において示すように、キーワード登録画面９０において登録されたキーワードである。ユーザは、キーワード登録画面９０において登録されたキーワードを追加・削除することが可能である。キーワード登録画面９０は、エコ表示設定画面８０のキーワード登録ボタン８１を選択することにより表示される。また、キーワード登録ボタン８１は、「登録キーワードがあったらエコ推奨画面を表示しない」のチェック欄をチェックした場合にのみ表示されるようにしてもよい。ここでは、例えば見積書や決裁書等のキーワードが登録されている。これらの登録されたキーワードが含まれる印刷データは、ユーザがエコモード印刷を望まない場合が多い。したがって、この判定基準のチェック欄をチェックすることで、登録キーワードが付与される印刷データの印刷時にエコモード推奨画面４０が表示されてしまうという煩わしさを、ユーザに与えずに済む。
【００４７】
「特殊な設定がなされた印刷データの印刷にはエコモード推奨画面を表示しない」について説明する。特殊な設定がなされた印刷データとは、例えばヘッダーやフッターに入力がなされている印刷データ、ロゴを含む印刷データ、特定のフォーマット付きの用紙に印刷される印刷データ、および特定の用紙カセットが指定された印刷データ等を示す。これらの印刷データは、エコモード印刷（特にＮ−ｕｐ印刷）が不向きである場合がほとんどである。したがって、この判定基準のチェック欄をチェックすることで、特殊な設定がなされた印刷データの印刷時にエコモード推奨画面４０が表示されてしまうという煩わしさを、ユーザに与えずに済む。なお、図８のような登録画面において特殊な設定を登録できるようにしてもよい。
【００４８】
「特定のアプリケーションで作成された印刷データの印刷にはエコモード推奨画面を表示しない」について説明する。特定のアプリケーションとは、例えばＣＡＤ、Ｐｈｏｔｏｓｈｏｐ、ＰａｉｎｔｓｈｏｐおよびＡｕｔｏｓｋｅｔｃｈ等を示す。これらのアプリケーションで作成された印刷データは、画質によって見栄えが変わるため、エコモード印刷が不向きである場合がほとんどである。したがって、この判定基準のチェック欄をチェックすることで、特定のアプリケーションで作成された印刷データの印刷時にエコモード推奨画面４０が表示されてしまうという煩わしさを、ユーザに与えずに済む。なお、図８のような登録画面において特定のアプリケーションを登録できるようにしてもよい。または、「現在使用中のアプリケーションで作成された印刷データの印刷にはエコモード推奨画面を表示しない」なる判断基準を新たに設けてもよい。これによりユーザは、アプリケーションの登録を簡単に行なうことができる。したがって、この判定基準のチェック欄をチェックすることで、特定のアプリケーションで作成された印刷データの印刷時にエコモード推奨画面４０が表示されてしまうという煩わしさを、ユーザに与えずに済む。
【００４９】
「罫線があったらエコモード推奨画面を表示しない」について説明する。印刷データ中における罫線の抽出方法は、例えば印刷データを主走査方向にある行について走査し、黒画素がある閾値以上の長さ連続して存在することが検出された場合に罫線であると判断する。印刷データ中の罫線は、表を構成する場合が多い。表を含む印刷データは、定型書類である場合や、細かい数字が多く書かれている場合が多いため、エコモード印刷が不向きである場合がほとんどである。したがって、この判定基準のチェック欄をチェックすることで、罫線がある印刷データの印刷時にエコモード推奨画面４０が表示されてしまうという煩わしさを、ユーザに与えずに済む。
【００５０】
「上記設定を、他のプリンタドライバに反映する」について説明する。上記判定基準は、通常はプリンタドライバごとに設定されるものである。しかし、プリンタドライバごとに判定基準を変えようとするユーザは少ないものと考えられる。したがって、この判定基準のチェック欄をチェックすることで、１つのプリンタドライバにおいて設定した判定基準を他のプリンタドライバにおいても適用することができるため、プリンタドライバごとに判定基準を設定するという煩わしさを、ユーザに与えずに済む。
【００５１】
エコ表示設定画面８０においてチェックされた判断基準、キーワード登録画面９０において登録されたキーワード、およびその他登録事項は、ユーザアカウントごとに記憶部２１２に記憶される。したがって、１台の情報処理装置２０を複数のユーザで共有する場合にも、ユーザごとに当該設定内容をカスタマイズすることができるため、ユーザごとに適した設定で判定部２１４に判定させることができる。なお、ゲストアカウントにおける当該設定内容を記憶部２１２に記憶させ、複数のユーザで共有してもよい。
【００５２】
図９は、本発明の第２実施形態に係る印刷システムにおける印刷データの印刷処理の制御を示すフローチャートである。
【００５３】
本フローチャートにおいて、第１実施形態と重複する制御内容に関する説明は省略する。本実施形態では、印刷指示された印刷データがエコモード印刷に向いていると制御部２１１が判断すると（Ｓ１２０のＹ）、図１０に示すようなエコモード推奨画面５０が表示される（Ｓ１３０）。
【００５４】
エコモード推奨画面５０には、次回以降の印刷時にエコモード推奨画面を表示させないためのチェック欄が表示されている。このチェック欄がチェックされた状態で印刷指示がされた場合には、この印刷データに同一または類似した印刷データに対しては、次回以降の印刷時にエコモード推奨画面は表示されなくなる。
【００５５】
具体的には、制御部２１１は、エコモード推奨画面５０において印刷指示がされた場合にチェック欄にチェックされていると判断すると（Ｓ１５０のＹ）、この印刷データの特徴を記憶部２１２に記憶させる（Ｓ１６０）。次回以降に記憶部２１２に記憶された特徴を有する印刷データを印刷する場合には、判定部２１４はその印刷データがエコモード印刷に不向きであると判定する。
【００５６】
したがって、エコモード印刷に不向きな印刷データである場合に向いていると誤判定された場合であっても、次回以降の印刷時にエコモード推奨画面５０を表示しないことが選択された印刷データについては、記憶部２１２に記憶された印刷データの特徴を判定材料とすることによって、それ以降、同一または類似する印刷データを印刷する際に、誤判定を防止することができる。
【００５７】
図１１は、本発明の第３実施形態に係る印刷システムにおける印刷データの印刷処理の制御を示すフローチャートである。
【００５８】
本フローチャートにおいて、第１実施形態と重複する制御内容に関する説明は省略する。本実施形態では、印刷指示された印刷データがエコモード印刷に不向きであると制御部２１１が判断すると（Ｓ２２０のＮ）、図１２に示すような確認画面６０が表示される（Ｓ２５０）。
【００５９】
確認画面６０には、エコモード推奨画面を表示するか否かを選択可能な項目が表示されている。したがって、判定部２１４が印刷データをエコモード印刷に不向きであると判定した場合にも、ユーザ自身が、印刷データをエコモード印刷に不向きであるか否かを再度確認することができる。ここで、制御部２１１は、ユーザがエコモード推奨画面４０を表示することを望まないと判断すると（Ｓ２６０のＮ）、直ちに印刷を開始させる（Ｓ２７０）。また、制御部２１１は、ユーザがエコモード推奨画面４０を表示することを望んだと判断すると（Ｓ２６０のＹ）、エコモード推奨画面４０を表示させる（Ｓ２３０）。
【００６０】
図１３は、本発明の第４実施形態に係る印刷システムにおける印刷データの印刷処理の制御を示すフローチャートである。
【００６１】
本フローチャートにおいて、第３実施形態と重複する制御内容に関する説明は省略する。本実施形態では、印刷指示された印刷データがエコモード印刷に不向きであると制御部２１１が判断すると（Ｓ３２０のＮ）、図１４に示すような確認画面７０が表示される（Ｓ３５０）。
【００６２】
確認画面７０には、エコモード推奨画面を表示するか否かを選択可能な項目に加えて、次回以降の印刷時に確認画面７０を表示させないためのチェック欄が表示されている。このチェック欄がチェックされた状態で印刷指示がされた場合には、この印刷データに同一または類似した印刷データに対しては、次回以降の印刷時に確認画面７０は表示されなくなる。
【００６３】
具体的には、制御部２１１は、確認画面７０においてチェック欄にチェックされていると判断すると（Ｓ４２０のＹ）、この印刷データの特徴とともに、この特徴を有する印刷データに対して、次回以降の印刷時に確認画面７０を表示させない設定がなされたことを記憶部２１２に記憶させる（Ｓ４３０）。次回以降の印刷時に記憶部２１２に確認画面７０を表示させない印刷データとして記憶された特徴を有する印刷データを印刷する場合には、制御部２１１はディスプレイ２２に確認画面７０を表示しない。
【００６４】
ユーザが確認画面７０におけるチェック欄にチェックするということは、対応する印刷データに関しては、通常印刷を希望していることを意味する。したがって、通常印刷をしたい印刷データに対して逐一確認画面７０が表示されることの煩わしさからユーザを解放することができる。
【００６５】
図１５は、本発明の第５実施形態に係る印刷システムにおける印刷データの印刷処理の制御を示すフローチャートである。
【００６６】
本フローチャートにおいて、第１実施形態と重複する制御内容に関する説明は省略する。本実施形態では、印刷指示された印刷データがエコモード印刷に向いていると制御部２１１が判断すると（Ｓ５２０のＹ）、その印刷データにおける印刷用媒体の使用量の削減率が、管理部２１５においてエコ貢献度の集計に加味される（Ｓ５６０）。一方で、印刷指示された印刷データがエコモード印刷に不向きであると制御部２１１が判断すると（Ｓ５２０のＹ）、その印刷データにおける印刷用媒体の使用量の削減率が、管理部２１５においてエコ貢献度の集計に加味されずに印刷が開始される（Ｓ５６０）。
【００６７】
ユーザ別のエコ貢献度を管理する場合において、ユーザごとの業務事情を考慮せずに全ての印刷データに対してエコ貢献度の集計を加味することとする一律な管理をすると、エコモード印刷に不向きな印刷データを扱うことの多いユーザにとっては不利となり、公平な管理がなされない。
【００６８】
これに対して、本実施形態では、エコモード印刷に不向きな印刷データを扱うことの多いユーザに不公平感を与えることなく、エコ貢献度を管理することができる。
【００６９】
第１実施形態〜第５実施形態では、印刷システム１００が、ネットワークを構成しているか否かを問わない。印刷システム１００がネットワークを構成していない場合は、図１に示すように情報処理装置２０が主要な構成（制御部２１１、記憶部２１２、判定部２１４および管理部２１５）を備えているが、図１６に示すように、印刷システム１００がネットワークを介して複数のプリンタ１０、複数の情報処理装置２０およびサーバ２５を構成している場合は、情報処理装置２０に代わってサーバ２５が主要な構成を備えてもよい。この際、情報処理装置２０からの印刷指示がサーバ２５を介してプリンタ１０に送信される。
【００７０】
サーバ２５が主要な構成を備える場合、サーバ２５の記憶部２１２は、それぞれの情報処理装置２０のＩＤごとに図７に示すような設定を記憶する。印刷システム１００がネットワークを構成している場合は、通常、ユーザごとに情報処理装置２０が管理されている。したがって、ユーザごとに適した設定で判定部２１４に判定させることができる。
【００７１】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７２】
２２−ディスプレイ
４０−エコモード推奨画面
５０−エコモード推奨画面
１００−印刷システム
２１１−制御部
２１２−記憶部
２１４−判定部
２１５−管理部
【図１】
2011048436.tif 000003
【図２】
2011048436.tif 000004
【図３】
2011048436.tif 000005
【図４】
2011048436.tif 000006
【図５】
2011048436.tif 000007
【図６】
2011048436.tif 000008
【図７】
2011048436.tif 000009
【図８】
2011048436.tif 000010
【図９】
2011048436.tif 000011
【図１０】
2011048436.tif 000012
【図１１】
2011048436.tif 000013
【図１２】
2011048436.tif 000014
【図１３】
2011048436.tif 000015
【図１４】
2011048436.tif 000016
【図１５】
2011048436.tif 000017
【図１６】
2011048436.tif 000018